(57)【要約】【課題】簡単な構成の液位の測定具を提供する。【解決手段】本発明の液位の測定具（１）は、光の色の情報を伝える導光性の長尺材（２）において、一方の端面に、有色の塗料（３）が塗布され又は含まれており、長手方向に沿って、予定位置に、予定間隔を開けて設けられた空隙又は切り欠き部分に、互いに向かい合う２つの断面（２ｃ、２ｄ）が長手方向と交わる向きに形成されており、２つの断面の一方又は両方にはすりガラス状になるように凸凹が付けられており、空隙又は切り欠き部分に、塗料とは異なる色又は無色透明の液体を介在させたときに他方の端面に伝わってくる色及び光量が、確認可能に変化することを特徴とする。他方の端面に伝わってくる色及び光量の変化に基づいて液位を測定することができる。【選択図】図１
2020153670.tif 000002
【特許請求の範囲】
【請求項１】
一方の端面に入力される光の色の情報を他端面にまで伝える導光性の長尺材において、前記一方の端面に、使用環境下で有色の塗料が塗布され又は含まれており、前記有色の塗料が塗布され又は含まれている部分から長手方向に沿って、予め定めた位置に、予め定めた間隔を開けて設けられた空隙又は切り欠き部分に、互いに向かい合う２つの断面が当該長手方向と交わる向きに形成されており、当該２つの断面の一方又は両方にはすりガラス状になるように凸凹が付けられており、当該空隙又は切り欠き部分に、前記塗料とは異なる色又は無色透明の液体を介在させたときの前記他端面に伝わってくる色及び光量の変化に基づいて液位を測定することを特徴とする液位の測定具。
【請求項２】
前記長尺材は透明のプラスチック製の棒材又は柱状材である、請求項１に記載の液位の測定具。
【請求項３】
前記長尺材は透明のガラス製の棒材又は柱状材である、請求項１に記載の液位の測定具。
【請求項４】
前記長尺材は柔軟な光ファイバーである、請求項１に記載の液位の測定具。
【請求項５】
前記長尺材は導光性を有するチューブ状の材である、請求項１に記載の液位の測定具。
【請求項６】
更に、導光性の漏斗を備え、前記長尺材の端面が、前記漏斗に色及び光量の情報を伝えるように接続されている、請求項５に記載の液位の測定具。
【請求項７】
更に、前記導光性でチューブ状の長尺材を通過する液の流入量調節弁を備えている、請求項５又は請求項６に記載の液位の測定具。
【請求項８】
前記請求項５又は請求項６に記載の液位の測定具の長尺材のチューブの中に、当該長尺材よりも長い、請求項２乃至請求項４の何れか一項に記載の液位の測定具の長尺材が嵌入された構成で成り、２つの液面の測定が可能となっている液位の測定具。
【請求項９】
前記長尺材は、予定の液体を入れる容器の所望する液位の位置に前記空隙又は切り欠き部を配置するための位置固定具を備えている、請求項１乃至請求項７の何れか一項に記載の液位の測定具。
【請求項１０】
前記塗料は蓄光塗料である、請求項１乃至請求項９の何れか一項に記載の液位の測定具。
【請求項１１】
前記塗料は夜光塗料である、請求項１乃至請求項９の何れか一項に記載の液位の測定具。
【請求項１２】
前記塗料は蛍光塗料である、請求項１乃至請求項９の何れか一項に記載の液位の測定具。
【請求項１３】
前記空隙又は切り欠き部は、前記長尺材を、その長さ方向に対して斜めに分離切断し、当該分離切断した長尺材を予め定めた間隔を開けて固定する固定具を用いて固定したものである、請求項１乃至請求項１２の何れか一項に記載の液位の測定具。
【発明の詳細な説明】
【技術分野】
【０００１】
本発明は、容器内の液位を測定する際に用いる治具に関する。
【背景技術】
【０００２】
従来の液位を測る装置として、特許文献１には、投光用光ファイバと、当該投光用光ファイバからの光を反射する鏡面部と、鏡面部からの反射光を受光する受光用光ファイバと、これらの部品を内包する筒状ケースとを含み、光ファイバと鏡面との間に液体の有無を受光用光ファイバの受光量で検出する液面センサが開示されている。
【先行技術文献】
【特許文献】
【０００３】
【特許文献１】特開２００１−１６５７５１号公報
【発明の概要】
【発明が解決しようとする課題】
【０００４】
特許文献１に記載の液面センサは、部品点数が多く構成が複雑である。また、屈折率の低い液体の場合、反射光量変化が少ないという問題もある。
【０００５】
本発明は、上記従来例の問題を解決するためになされたものであり、簡単な構成の液位の測定具、特に暗室での利用に好適な液位の測定具を提供することを目的とする。
【課題を解決するための手段】
【０００６】
上記目的を達成するために本発明の液位の測定具は、一方の端面に入力される光の色の情報を他端面にまで伝える導光性の長尺材において、前記一方の端面に、使用環境下で有色の塗料が塗布され又は含まれており、前記有色の塗料が塗布され又は含まれている部分から長手方向に沿って、予め定めた位置に、予め定めた間隔を開けて設けられた空隙又は切り欠き部分に、互いに向かい合う２つの断面が当該長手方向と交わる向きに形成されており、当該２つの断面の一方又は両方にはすりガラス状になるように凸凹が付けられており、当該空隙又は切り欠き部分に、前記塗料とは異なる色又は無色透明の液体を介在させたときの前記他端面に伝わってくる色及び光量の変化に基づいて液位を測定することを特徴とする。
【０００７】
前記長尺材は透明のプラスチック製の棒材又は柱状材であることが好ましい。
【０００８】
前記長尺材は透明のガラス製の棒材又は柱状材であることが好ましい。
【０００９】
前記長尺材は柔軟な光ファイバーであることが好ましい。
【００１０】
前記長尺材は導光性を有するチューブ状の材であることが好ましい。
【００１１】
更に、導光性の漏斗を備え、前記長尺材の端面が、前記漏斗に色及び光量の情報を伝えるように接続されていることが好ましい。
【００１２】
更に、前記導光性でチューブ状の長尺材を通過する液の流入量調節弁を備えていることが好ましい。
【００１３】
前記長尺材が導光チューブの前記液位の測定具の、当該チューブの中に、前記長尺材よりも長い、透明のブラスチック製、透明のガラス製、又は、光ファイバーの長尺材を有している液位の測定具の、当該長尺材が嵌入された構成で成り、２つの液面の測定が可能となっているのが好ましい。
【００１４】
前記長尺材は、予定の液体を入れる容器の所望する液位の位置に前記空隙又は切り欠き部を配置するための位置固定具を備えているのが好ましい。
【００１５】
前記塗料は蓄光塗料であるのが好ましい。
【００１６】
前記塗料は夜光塗料であるのが好ましい。
【００１７】
前記塗料は蛍光塗料であるのが好ましい。
【００１８】
前記空隙又は切り欠き部は、前記長尺材を、その長さ方向に対して斜めに分離切断し、当該分離切断した長尺材を予め定めた間隔を開けて固定する固定具を用いて固定したものであるのが好ましい。
【発明の効果】
【００１９】
本発明の液位の測定具によれば、予め定めた空隙を開けて向かい合う２つの断面に液体が触れると、凸凹のすりガラス状の断面が透明になり、液が無色透明の水の場合、一方の端面に塗布又は含ませていた塗料の色が他方の端面にまで鮮明に伝わり、液が有色の場合、その液の色が他方の端面にまで鮮明に伝わる。これにより、液位を測定することができる。
【図面の簡単な説明】
【００２０】
【図１】本発明の一実施の形態に係る液位の測定具を示す図で、（ａ）は正面図、（ｂ）は左側面図、（ｃ）は右側面図、（ｄ）は背面図、（ｅ）は平面図、（ｆ）は底面図。
【図２】液位の測定具をコップにセットした状態を示す。
【図３】（ａ）はコップに注がれる液が検出位置に達する前の端面の状態、（ｂ）は無色透明の液を注いでいるときに検出位置を越えたときの状態、（ｃ）は色のある液を注いでいるときに液が検出位置を越えたときの状態を示す。
【図４】液位の測定具の液位検出端面側の蓄光剤に、ライトを使って観察端面側から光をチャージする場合の説明図。
【図５】液位の測定具の変形例を示す図。
【図６】（ａ）（ｂ）（ｃ）は、液位の測定具の長尺材に設ける空隙又は切り欠き部分の変形例について示す。
【図７】液位の測定具の異なる実施形態を示す図。
【図８】液位の測定具の更に、異なる実施形態を示す図。
【発明を実施するための形態】
【００２１】
本発明の液位の測定具は、一方の端面に入力される光の色の情報を他端面にまで伝える導光性の長尺材を用いる。一方の端面には、使用環境下で有色の塗料が塗布され又は含まれている。有色の塗料が塗布され又は含まれている部分から長手方向に沿って、予め定めた位置に、予め定めた間隔を開けて設けられた空隙又は切り欠き部分に、互いに向かい合う２つの断面が長手方向と交わる向きに形成されている。２つの断面の一方又は両方にはすりガラス状になるように凸凹が付けられている。２つの断面が向かい合う、この空隙又は切り欠き部分に、塗料とは異なる色又は無色透明の液体を介在させたときの他端面に伝わってくる色及び光量の変化に基づいて液位を測定することを特徴とする。向かい合う２つの断面に液体が触れると、すりガラス状の凸凹の付されている断面が透明になり、液が無色透明の水の場合、一方の端面に塗布又は含ませていた塗料の色が他方の端面にまで鮮明に伝わり、液が有色の場合、その液の色が他方の端面にまで鮮明に伝わる。この他方の端面に伝わってくる色及び光量の変化に基づいて液位を測定することができる。また、塗料に夜光塗料、蓄光塗料、蛍光塗料を用いることにより、暗室等の使用環境下で火気厳禁の液又は容器から溢すことが許されない取り扱い注意の液の液位の測定を安心安全に行うことができる。また、使用後、向かい合う断面部分に付着した液を除去すれば、速やかに再使用できるという利点もある。
【００２２】
本発明の一実施の形態に係る液位の測定具１について説明する。図１は、液位の測定具１の６面図を示す。図１（ａ）は正面図、（ｂ）は左側面図、（ｃ）は右側面図、（ｄ）は背面図，（ｅ）は平面図、（ｆ）は底面図を示す。液位の測定具１は、一方の端面２ａから入力される光の色の情報を他端面２ｂにまで伝える導光性の長尺材２を用いる。本実施形態の長尺材２は、直径８ｍｍ、長さ１５０ｍｍの円柱状透明プラスチック（アクリル樹脂）で構成されている。長尺材２には、他に、棒状の透明プラスチック、透明のガラス製の棒材又は柱状材、柔軟な光ファイバー、後に説明する導光チューブ等を用いることができる。
【００２３】
一方の端面２ａには、使用環境下で有色の塗料３が塗布されている。塗料３を塗布した後に、当該塗布した領域を、液位の測定具１を使用する液体に耐性を有する樹脂でコーティングすると、塗料３が液に溶け出すのを防ぐことができる。食用液、精密検査液等の場合に有効であり、また、液位の測定具１の性能維持に役立つ。または、長尺材２の製造時、又は製造後に一方の端部２ａを加熱し、塗料を混入可能な状態、例えば、ジェル状又は溶解状態にして、塗料３を混入し、端面２ａに塗料３が含まれるようにしても良い。使用環境が主に日中の屋外、明るい部屋等の場合、塗料３は蛍光性のものを用いる。使用環境が夜間の屋外、暗室（例えば、地下のワイン倉庫）等の場合、塗料３は、有色で、暗い使用環境下で発光するタイプの塗料、例えば、蓄光性、夜光性のものを用いる。
【００２４】
長尺材２には、塗料３が塗布され又は含まれている部分から長手方向に沿って、予め定めた間隔の空隙又は切り欠き部分が設けられて、互いに向かい合う２つの断面が当該長手方向と交わる向きに形成されている。例えば、端面２ａから端面２ｂへと向かう長手方向（両矢印αで示す向き、以下同じ）に沿って、端面２ａから端面２ｂへと向かって１５ｍｍの位置に断面２ｃを形成し、当該断面２ｃから空隙２ｇ（例えば１０ｍｍ）を開けて向かい合う断面２ｄを形成する。断面２ｃ、２ｄは、長手方向と交わる向き、即ち、長尺材２の長手方向と平行な向きで無く、直交する向き又斜めに交わる向きに形成される。
【００２５】
本実施形態では、長尺材２を長手方向に対して斜めに切断して２つの部分２ｅ、２ｆに分離し、この部分２ｅ、２ｆを両矢印で示す空隙２ｇ（例えば１０ｍｍ）を開けた状態で、２本の固定具４ａ、４ｂによって保持する構成を採用している。空隙を開ける代わりに、長尺材２本体に前記固定具４ａ、又は、固定具４ａ及び４ｂに相当する部分を形成し、前記空隙２ｇに相当する空間を設けるように切り欠いて、断面２ｃ、２ｄを形成しても良い（図６を参照）。
【００２６】
なお、固定具４ａ、４ｂの端面２ｂ側の端部４ｃ、４ｄは、部分２ｆに接着し、他端４ｅ、４ｆは、部分２ｅを挟持し、その挟む力で位置固定する構成を採用しても良い。この場合、部分２ｅと部分２ｆとの空隙２ｇの値が調節可能になる。
【００２７】
２つの断面２ｃ、２ｄの一方又は両方は、すりガラス状になるように凸凹が付けられている。「すりガラス状になるように凸凹を付す」とは、透明のガラスの表面を多数の突起のある硬質物質（例えばサンドペーパー、のこぎり）ですって、又は、硬質の粒状物（例えば、金剛砂）ですって又は高速で吹き付けて（例えばサンドブラスト加工して）、凸凹を付けて不透明にし、光線の直線透過を防ぐように散光加工することをいう。長尺材２の素材は、透明ガラスに限らないので、「すりガラス状になるように凸凹を付す」という語を用いる。例えば、長尺材２の素材として透明ブラスチック（アクリル樹脂）を用いる場合、のこぎりで長尺材２を切断分離すると、２つの断面２ｃ、２ｄは、すりガラス状となる凸凹が付いた状態となる。例えば、光ファイバーの場合、ガラス繊維の断面部分に対して、上記すりガラス状になるように凸凹を付す。すりガラス状に凸凹の付された断面は、液が付くと、散光性が無くなり、透明になり透光性が増す。換言すれば、液が付いても透明性が増さない、単に不透明なガラス（例えば泡ガラス）は、「すりガラス状になるように凸凹が付けられた」ものでは無い。液位の測定具１は、２つの断面２ｃ、２ｄの向かい合う空隙又は切り欠き部分に、塗料３とは異なる色又は無色透明の液体が介在したときの、端面２ｂに伝わってくる色又は光量の変化に基づいて、液位を測定する。即ち、断面２ｃ、２ｄの内、すりガラス状に凸凹が付されている面の位置が、液の検出位置となる（以下、液の検出位置という）。断面２ｃ、２ｄの両方がすりガラス状に凸凹が付されている場合は、端面２ｂに近い側の断面２ｄの位置が液の検出位置となる。
【００２８】
長尺材２の部分２ｆの端面２ｂ近くには、長手方向に沿って上下に動かすことができ、予定の液体を入れる容器の所望する位置に、前記空隙又は切り欠き部、より詳しくは液の検出位置を配置するための位置固定具としてクリップ５が取り付けられている。部分２ｆの側部には目盛２ｈが設けられている。クリップ５は、長尺材２とクリップ５の連結部分５ａと、クリップ部分５ｂとで構成されている。連結部分５ａの長さ及びクリップ部分５ｂの形状は、取り付けを想定する容器の取り付け部分の厚さ、形状等に応じて種々の変形例が考えられる。クリップ５の部分２ｆへの取付位置から液の検出位置までの長さが調整可能となっている。当該構成を採用することによって、液位を測るのに用いる容器、例えば、コップ、ビーカー、ドラム缶、樽、瓶、シャンプー容器等の液注入口に長尺材２の位置を固定できる。ユーザーは、両手が自由になるので、自ら液を注ぎ入れたりできるようになる。
【００２９】
なお、長尺材２の端面２ｂ側での光取り出し効率を高めるため、長尺材２をアルミホイル等、側面から光を逃がさずに、内側に反射する反射材で包むと、端面２ｂ側で、光の色の変化、及び、光量の変化を、はっきりと認識できる。以下、の変形例及び異なる実施形態において、同じである。
【００３０】
図２は、図１に示した構成の液位の測定具１を、コップ（又はビーカー）２０の開口縁２０ａにクリップ５を用いて固定した状態を示す。この状態で、無色透明の液、及び、有色の液を注ぎ入れ、長尺材２の端面２ｂから見える色および明るさについて調べた。
【００３１】
図３は、断面２ｃがすりガラス状になっており、断面２ｄがクリアな状態の場合の端面２ｂに見える色および明るさの情報を示す。図３（ａ）は、暗室で緑色に発光する蓄光性塗料３を端面２ａに塗布した測定具1で、液位が断面２ｃに達していない時に端面２ｂから見える薄緑色を示す。断面２ｃがすりガラス状になっているので、薄い緑色に見える。すりガラス状の断面２ｃに無色透明の液が付くと、断面２ｃが透明になり、透光性が増す。図３（ｂ）は、液が無色透明の液の場合に、断面２ｃの上にまで液位が達した時に端面２ｂから見える明るい緑色を示す。図３（ｃ）は、液体が有色の液の場合に、断面２ｃ上に液位が達した時に端面２ｂから見える液の色を示す。塗料３の色情報が端面２ｂに鮮明に伝わっているのが確認できた。なお、液位がさらに上昇し、断面２ｄを越えても、断面２ｄは元々クリアな状態であるので、透明性の変化は少なく、結果、端面２ｂから見える色及び光量の変化も少なかった。
【００３２】
断面２ｃ及び断面２ｄがすりガラス状になっている場合、又は、断面２ｃがクリアな状態で、断面２ｄがすりガラス状になっている場合、断面２ｃを越えて断面２ｄに液位が達すると、断面２ｄが透明になり、透光率が増す。液体が無色透明の液の場合には、有色の塗料３の色情報が端面２ｂに鮮明に伝わる。液体が有色の液の場合には、液の色が端面２ｂに鮮明に伝わる。
【００３３】
種々実験したが、塗料３に有色（例えば赤）の蛍光塗料を用いた場合は明るい部屋の中で、液位を良好に測定（目視確認）することができた。塗料３に有色（例えば緑色）の蓄光性、または、夜光性のものを用いた場合は、明るい部屋の中及び暗室で、端面２ｂに伝わってくる色及び光量に基づいて、液が、液の検出位置に達したか否かを良好に測定（目視確認）することができた。液位の測定具１は、火気厳禁の液又は容器から溢すことが許されない取り扱い注意の液の液位の測定を安心安全に行うことができる。また、使用後、向かい合う断面２ｃ、２ｄに付着した液を除去すれ、速やかに再使用できるという利点もある。
【００３４】
検出位置の断面２ｃ、２ｄの一方又は両方に、すりガラス状となるように付する凸凹は、液が付着していない時の不透明度と、液が付着したときの透明度との差が大きくなるように付する。この凸凹は、液を洗い流そうとする方向に整列した多数のライン状にしても良い。この場合、断面２ｃ、２ｄに付着した液を除去しやすくなる。
【００３５】
図４は、導光性の長尺材２を用いていることを利用し、観察する側の端面２ｂからライト３０の光を当てて端面２ａの蓄光性の塗料３に光をチャージする方法について示す。ライト３０の光は、蓄光剤の発する光よりはるかに明るいので、途中にすりガラス状に加工された端面があっても、何ら問題なく蓄光性の塗料３に光をチャージできた。端面２ａ近傍が塗料３の溶け出し防止のために不透明なコーティング材で覆われてない場合には、当然、端面２ａに直接ライトを当てて、蓄光性の塗料３に光をチャージしても良い。
【００３６】
図５は、変形例に係る液位の測定具１’を示す斜視図である。液位の測定具１’では、長尺材２の代わりに、柔軟な導光性長尺材６を用いる。液位測定のための部分の構成は液位の測定具１と同じであり、ここでの重複した説明は省略する。当該構成を採用することによって、液位の測定を検出者が見やすい位置で行うことができ、利便性が向上する。
【００３７】
図６（ａ）は、液位の測定具１の長尺材２に設ける空隙又は切り欠き部分の変形例として、固定具４ａ、４ｂ（図１を参照）の代わりに、柱状部分４ａ’を残すように、長尺材２切欠いて、断面２ｃ、２ｄ、及び部分２ｅ、２ｆを形成する場合を示す。図６（ｂ）は、変形例として、固定具４ａ、４ｂの代わりに、２つの柱状部分４ａ’、４ｂ’を残すように、長尺材２を切欠いて、断面２ｃ、２ｄ、及び部分２ｅ、２ｆを形成する場合を示す。図６（ｃ）は、変形例として、固定具４ａ、４ｂの代わりに、長尺材の軸に沿って、例えば直径１．５ｍｍの柱状部分４ａ’を残すように、長尺材２を切欠いて、断面２ｃ、２ｄ及び、部分２ｅ、２ｆを形成する場合を示す。
【００３８】
なお、液位の測定具１の長尺材２に設ける空隙又は切り欠き部分の変形例として、長尺材２を部分２ｅ、２ｆに分離切断し、その間に、例えば直径１．５ｍｍの棒状の固定具（例えば、両端の尖った鉄製針状の部材）を介在させて空隙２ｇ及び断面２ｃ、２ｄを形成しても良い。
【００３９】
図７は、異なる実施形態に係る液位の測定具４０を示す。本実施形態では、導光性で、外径１２ｍｍ、内径１０ｍｍ、長さ１２０ｍｍのチューブ状の長尺材４１と、長尺材４１の上縁で連結されており、下側の端面４２ａの外径及び内径が長尺材４１と同じで、上側の端面４２ｂの外径が３０ｍｍ、内径が２８ｍｍ、端面４２ａから端面４２ｂまでの長さは３５ｍｍの導光性の漏斗４２とを備えていることを特徴とする。長尺材４１の端面４１ｂは、漏斗４２の端面４２ａに、色及び光量の情報を伝えるように接続されている。長尺材４１は、端面４１ａから端面４１ｂへと向かう長手方向（両矢印βで示す向き。以下同じ）に沿って、予め定めた位置、例えば、端面４１ａから端面４１ｂへと向かって１５ｍｍの位置に、予め定めた空隙４１ｃ（例えば１０ｍｍ）を開けて向かい合う２つの輪状の断面４１ｄ、４１ｅが、長手方向と交わる向き、即ち、長尺材４１の長手方向と平行な向きで無く、直交する向き又斜めに交わる向きに形成されている。本実施形態では、長尺材４１を長手方向に対して斜めに切断して２つの部分４１ｆ及び部分４１ｇに分離し、この部分４１ｆ及び部分４１ｇを空隙４１ｃを開けた状態で、２本の固定具４３ａ、４３ｂによって保持する構成を採用している。なお、固定具４３ａ、４３ｂの漏斗４２側の端部４３ｃ、４３ｄは、部分４１ｇに接着し、他端４３ｅ、４３ｆは、部分４１ｆを挟持し、その挟む力で位置固定する構成を採用しても良い。この場合、部分４１ｆと部分４１ｇとの間隔が調節可能になる。断面４１ｄ、４１ｅの一方又は両方は、すりガラス状となるように凸凹が付けられている。また、部分４１ｆ、４１ｇとの間は、筒状部材４４によって連通されている。この筒状部材４４で、部分４１ｆ及び部分４１ｇを位置決めし、固定する場合は、固定具４３ａ、４３ｂは、省略することができる。部分４１ｆの端面４１ａには、使用環境下で有色な塗料３が塗布又は含まれている。塗料３は、図１に示した液位の測定具１の塗料３と同一のもので、塗料３を端面４１ａに塗布又は含める手法について重複した説明は省略する。長尺材４１の部分４１ｇの上部、漏斗４２との連結部分近くには、長尺方向に上下に位置調節可能なクリップ４５が取り付けられている。部分４１ｇの側面には、目盛り（図示せず。図１のメモリ２ｈを参照）が設けられており、クリップ４５の部分４１ｇへの取付位置から液の検出位置、即ち、すりガラス状になっている断面４１ｄ、４１ｅまでの長さが調整可能となっている。長尺材４１の漏斗４２との連結部分近くには、チューブ状の長尺材４１を通過する液の流入量調節弁４１ｈが設けられている。
【００４０】
上記構成の液位の測定具４０は、端面４２ｂに伝わってくる色及び光量に基づいて、液位の測定を行うことができる。例えば、液体を注入する開口が、略当該測定具４０の長尺材４１の直径と同じような比較的小さい場合、漏斗４２及び流入量調節弁４１ｈを用いることによって、液を溢すこと無く、所望の位置にまで液を注ぐことができる。容器から溢すことが許されない取り扱い注意の液の液位の測定を安心安全に行うことができる。また、使用後、向かい合う断面４１ｄ、４１ｅに付着した液を除去すれ、速やかに再使用できるという利点もある。
【００４１】
図８は、図７に示した液位の測定具４０のチューブ状の長尺材４１と、当該筒状部分４１に嵌入した図１に示した液位の測定具１の長尺材２と、で構成される液位の測定具５０を示す。既に説明した部品と同じ構成要素には同じ参照番号を付して重複した説明は省略する。当該構成を採用することによって、２つの液位を簡易に測定することが可能になる。チューブ状の長尺材４１に棒状の長尺材２が、例えば、長尺材２を長尺材４１内で上下移動できるが、力を掛けなければ、摩擦で動かない程度に嵌入される寸法設定とすれば、液位の測定部４０のクリップ４５だけで、液位を測定する容器に固定できる。他方、持ち運び時の便利のためであって、使用時は、液位の測定具１と、液位の測定具４０として、個々に使用する場合には、チューブ状の長尺材４１に棒状の長尺材２が遊嵌できる寸法設定にすれば良い。このように、液位の測定具５０は、必要に応じて、液位の測定具１、又は、液位の測定具の筒状部分４１を単体でも使用可能という利点を有する。また、当該構成を採用することによって、収納時非常にコンパクトにできる。
【００４２】
なお、長尺材４１には、図７に示す漏斗４２を固着又は着脱可能に設けても良い。また、端面４１ａに蓄光性の塗料３を塗布又は含ませる場合、図４に示したのと同様に、ライト３０を用いて液位の確認を行う側の端面２ｂ、４１ｂ、または、漏斗を付けた場合には端面４２ｂから光をチャージできる。
【００４３】
なお、本発明は、上記各種実施形態の構成に限られず、発明の趣旨を変更しない範囲で種々の変形が可能である。例えば、本実施形態では、長尺材の端面２ｂ（又は端面４１ｂ又は端面４２ｂ）に現れる色又はその光量の変化を目視確認することによって液位の測定を行うが、当該色又はその光量の変化は比較的はっきりとしているため、この部分にＣＣＤ等の色及び光量を検出する撮像素子をセットし、検出値に基づいて判定を行う処理装置を構成することもできる。具体的には、前記撮像素子と、検出値の処理部と、通知部と、を備え、前記処理部で色又は光量の変化の中間値を閾値として、液位が液の検出位置に達しているか否かの判定結果を電気信号として抽出し、前記通知部を用いて液位が液の検出位置に達したことをユーザーに知らせる処理行う。
【産業上の利用可能性】
【００４４】
本発明の液位の測定具は、電気端子の通電現象を利用して液位を測定しないので、火気厳禁の液、又は、劇薬等の溢すことが許されない液の容器内の備蓄量チェックができる。または、本発明の液位の測定具は、送電されていない区域、又は、停電している地域等でも用いることができる。きわめて簡単な構成で成るため、照明用の光源等の保守部品の供給が難しい地域での容器内の備蓄量チェック等に使える。また、塗料３に蓄光剤、夜光塗料を用いる場合、直接又は間接的な理由で、暗室又は夜間しか取り扱えない溶液の容器内の備蓄量チェック等に用いることができる。
【符号の説明】
【００４５】
１、４０、５０              液位の測定具
２、４１                    導光性の長尺材
４２                        導光性の漏斗
２ａ、４１ａ                使用環境下で有色の塗料を塗る端面
２ｂ、４１ｂ、４２ｂ        長尺材を伝わってくる光の色を見る端面
２ｃ、２ｄ、４１ｄ、４１ｅ  断面
４ａ、４ｂ、４３ａ、４３ｂ  固定具
２ｇ、４１ｃ                空隙
４１ｈ                      流入量調節弁
【図１】
2020153670.tif 000003
【図２】
2020153670.tif 000004
【図３】
2020153670.tif 000005
【図４】
2020153670.tif 000006
【図５】
2020153670.tif 000007
【図６】
2020153670.tif 000008
【図７】
2020153670.tif 000009
【図８】
2020153670.tif 000010